(57)【要約】【課題】造影剤が充分に患部に到達し、患部の位置を正確に造影することができるとともに、バルーンを患部に戻すのが容易なため再拡張のアプローチも容易にできるシースイントロデューサー及びカテーテル組立体を提供すること。【解決手段】シース（２）の後方にコネクター（３）を装着したシースイントロデューサー（１）において、コネクター（３）内部またはコネクター（３）の前方もしくは後方にバルーン（１２）の収納室（４）を形成したシースイントロデューサー（１）。前記シースイントロデューサー（１）とバルーンカテーテル（１１）とからなるカテーテル組立体（２１）。【選択図】図１
2005253637.tif 000002
【特許請求の範囲】
【請求項１】
シース（２）の後方にコネクター（３）を装着したシースイントロデューサー（１）において、
コネクター（３）内部またはコネクター（３）の前方もしくは後方にバルーン（１２）の収納室（４）を形成した、ことを特徴とするシースイントロデューサー（１）。
【請求項２】
請求項１に記載のシースイントロデューサー（１）とバルーンカテーテル（１１）とからなることを特徴とするカテーテル組立体（２１）。
【発明の詳細な説明】
【技術分野】
【０００１】
本発明は、シースイントロデューサー及びカテーテル組立体の改良に関するものである。
【背景技術】
【０００２】
図２から図４は、従来のシースイントロデューサーとカテーテル組立体並びにその使用方法の概略図を示す。（関連技術として特許文献１参照）
従来のシースイントロデューサー４１は、シース４２の後方にコネクター４３（後部に弁４８が装着されている）を配置し、コネクター４３の側部に造影剤導入ライン４５を配置し、造影剤導入ライン４５の先端には、三方活栓４６、シリンジ（図示せず）等が装着される。
【０００３】
図２に示すようにバルーンカテーテル５１の手技を行う際、シースイントロデューサー４１（特許文献１ではガイデイングカテーテルともいう）内にバルーンカテーテル５１を通して、バルーン５２を患部に留置し、拡張する。
図３に示すように患部の拡張状態を確認するために、バルーンカテーテル５１を、一度、シースイントロデューサー４１から引き抜き、造影剤導入ライン４５から血管造影剤を患部まで導入する。
しかしながら、コネクター４３に配置されている弁４８が邪魔になって、バルーン５２をシースイントロデューサー４１内に挿入できない場合が多々あった。
また図４に示すように、バルーン５２をシースイントロデューサー４１を抜かずに、造影剤を注入する場合、バルーン５２が造影剤の通過を妨害し、造影剤が患部に充分に到達しないので、造影性が低下し、患部の拡張状態が確認できない場合が多々あった。
【０００４】
【特許文献１】特開平１０−２４０号公報（図１、図９参照）
【発明の開示】
【発明が解決しようとする課題】
【０００５】
本発明が解決しようとする問題点は、バルーンカテーテル５１を、一度、シースイントロデューサー４１から引き抜く場合は、再度、シースイントロデューサー４１に入れにくい、またバルーンカテーテル５１を、シースイントロデューサー４１から引き抜かないで、造影を導入する場合は、造影剤が患部に到達しにくく、造影性が低下する。
【課題を解決するための手段】
【０００６】
そこで本発明者は以上の課題を解決するために、鋭意検討を重ねた結果次の発明に到達した。
［１］本発明は、シース（２）の後方にコネクター（３）を装着したシースイントロデューサー（１）において、
コネクター（３）内部またはコネクター（３）の前方もしくは後方にバルーン（１２）の収納室（４）を形成したシースイントロデューサー（１）を提供する。
［２］本発明は、［１］に記載のシースイントロデューサー（１）とバルーンカテーテル（１１）とからなるカテーテル組立体（２１）を提供する。
【発明の効果】
【０００７】
バルーン１２を実質的にシースイントロデューサー１内に残した状態で、造影剤を患部に導入できるので、造影剤は充分に患部に到達し、患部の位置を正確に造影することができる。またバルーン１２を患部に戻すのも容易で再拡張のアプローチも容易にできる。
【発明を実施するための最良の形態】
【０００８】
図１は本発明のシースイントロデューサーとカテーテル組立体並びにその使用方法の概略図である。
［シースイントロデューサー１］
本発明のシースイントロデューサー１は、シース２の後方にコネクター３を装着したシースイントロデューサー１において、コネクター３内部またはコネクター３の前方もしくは後方にバルーン１２の収納室４を形成したものである。
さらに詳述すれば、シース２の後方にコネクター３を（後部に弁４８が装着されている）配置し、コネクター３の内部にバルーン１２の収納室４を形成し、コネクター３の側部に造影剤導入ライン５を配置している。造影剤導入ライン５の先端には、三方活栓６、シリンジ７等が装着される。シース２、造影剤導入ライン５、三方活栓６、シリンジ７等の各部材は公知の部材（形状、材料）を使用できるので、詳細な説明は省略する。
［バルーン１２の収納室４］
図１の例示では、シース２の後方に装着されたコネクター３を延長拡大して、バルーン１２の収納室４（バルーン１２を収納できる空間）を形成しているが、これらの形態に限定されるものではなく、バルーン１２の収納室４は、コネクター３の前方もしくは後方に別部品として、配置した部材（バルーン１２を収納できる空間を確保できる形態を有するものであれば何でも良い）にも形成することができる。なおコネクター３の後方に別部品として形成する場合は、コネクター３後方の弁８は、当該別部品の後方に配置される。
本発明のシースイントロデューサー１は、バルーンカテーテル１１とともにカテーテル組立体２１として使用される。
【０００９】
次に本発明のシースイントロデューサー１とカテーテル組立体２１並びにその使用方法の一例について説明する。
（１）シースイントロデューサー１内にバルーンカテーテル１１を通して、バルーン１２を患部に留置し、患部の拡張を行う。
（２）バルーンカテーテル１１を、一度、シース２から引き抜き、図１に示すように、コネクター３のバルーン１２収納室４内に収納し、シリンジ７、造影剤導入ライン５から血管造影剤を患部に流す。造影剤の流路は充分に確保されているので、造影剤は充分に患部に到達し、患部の拡張状態を正確に造影することができる。
（３）バルーン１２を再び、患部に戻し、再拡張のアプローチを行う。シース２とコネクター３の間に弁８等の障害物は存在しないので、バルーン１２を容易に患部に戻すことができる。
【図面の簡単な説明】
【００１０】
【図１】本発明のシースイントロデューサーとカテーテル組立体並びにその使用方法の概略図
【図２】従来のシースイントロデューサーとカテーテル組立体並びにその使用方法の概略図
【図３】従来のシースイントロデューサーとカテーテル組立体並びにその使用方法の概略図
【図４】従来のシースイントロデューサーとカテーテル組立体並びにその使用方法の概略図
【符号の説明】
【００１１】
１  シースイントロデューサー
２  シース
３  コネクター
４  バルーン収納室
５  造影剤導入ライン
６  三方活栓
７  シリンジ
８  弁
１１  バルーンカテーテル
１２  バルーン
２１  カテーテル組立体
【図１】
2005253637.tif 000003
【図２】
2005253637.tif 000004
【図３】
2005253637.tif 000005
【図４】
2005253637.tif 000006